(57)【特許請求の範囲】
【請求項１】
ランダムアクセスポリシーをＵＥ（Ｕｓｅｒ  Ｅｑｕｉｐｍｅｎｔ）に設定し、
更に、設定されたランダムアクセスポリシーに従ってＵＥによって開始されたランダムアクセスプロシージャが失敗した場合、無線リソース制御接続再確立プロセスをトリガーし、
更に、ダウンリンクデータの到達に必要なランダムアクセスプロシージャイベントによってトリガーされたランダムアクセスプロシージャの場合のタイマーＴｘと、アップリンクデータの到達に必要なランダムアクセスプロシージャイベントによってトリガーされたランダムアクセスプロシージャの場合のタイマーＴｙと、前記ＵＥのロケーションに必要なランダムアクセスプロシージャイベントによってトリガーされたランダムアクセスプロシージャの場合のタイマーＴｚとを設定し、前記タイマーＴｘ、Ｔｙ、Ｔｚは、最初に選択されたアップリンクコンポーネントキャリアにおいて前記ＵＥがランダムアクセスプロシージャを開始するときに始動され、
無線リソース制御接続再確立プロセスをトリガーする前に、更に、対応するタイマーがタイムアウトしたかどうかを判定し、タイマーがタイムアウトした場合、無線リソース制御接続再確立プロセスをトリガーし、前記対応するタイマーはＴｘ、Ｔｙ、Ｔｚのうち、１つ以上である
ことを特徴とする無線リソース制御接続再確立のトリガー方法。
【請求項２】
前記ランダムアクセスポリシーは、
設定されたアップリンクコンポーネントキャリアにおいてＵＥがランダムアクセスを開始することである
ことを特徴とする請求項１に記載の方法。
【請求項３】
前記設定されたアップリンクコンポーネントキャリアは、アップリンクプライマリコンポーネントキャリアと１つ以上のアップリンクセカンダリコンポーネントキャリアとを含み、
設定されたランダムアクセスポリシーに従って前記ＵＥによって開始されたランダムアクセスプロシージャが失敗する場合とは、
前記ＵＥがまずアップリンクセカンダリコンポーネントキャリアにおいてランダムアクセスプロシージャを開始し、前記１つ以上のアップリンクセカンダリコンポーネントキャリアにおいて開始されたランダムアクセスプロシージャがすべて失敗したとき、前記アップリンクプライマリコンポーネントキャリアにおいてランダムアクセスプロシージャを開始し、前記アップリンクプライマリコンポーネントキャリアにおいて開始されたランダムアクセスプロシージャが失敗したとき、設定されたアップリンクコンポーネントキャリアにおいて開始されたランダムアクセスプロシージャが失敗したと判定した場合である
ことを特徴とする請求項２に記載の方法。
【請求項４】
前記設定されたアップリンクコンポーネントキャリアは、アップリンクプライマリコンポーネントキャリアであり、
設定されたランダムアクセスポリシーに従って前記ＵＥによって開始されたランダムアクセスプロシージャが失敗する場合とは、
前記ＵＥがまず前記アップリンクプライマリコンポーネントキャリアにおいてランダムアクセスプロシージャを開始し、前記アップリンクプライマリコンポーネントキャリアにおいて開始されたランダムアクセスプロシージャが失敗したとき、設定されたアップリンクコンポーネントキャリアにおいて開始されたランダムアクセスプロシージャが失敗したと判定した場合である
ことを特徴とする請求項２に記載の方法。
【請求項５】
前記設定されたアップリンクコンポーネントキャリアは、所定のアップリンクコンポーネントキャリアであり、
設定されたランダムアクセスポリシーに従って前記ＵＥによって開始されたランダムアクセスプロシージャが失敗する場合とは、
前記所定のアップリンクコンポーネントキャリアにおいて開始されたランダムアクセスプロシージャが失敗したとき、設定されたアップリンクコンポーネントキャリアにおいて開始されたランダムアクセスプロシージャが失敗したと判定した場合である
ことを特徴とする請求項２に記載の方法。
【請求項６】
前記所定のアップリンクコンポーネントキャリアは、
無線チャネル条件が最も良いアップリンクコンポーネントキャリアであるか、
又は、パスロスが最も小さいダウンリンクコンポーネントキャリアに関連するアップリンクコンポーネントキャリアであるか、
又は、アップリンクコンポーネントキャリアと周波数帯域が同じであり、かつ、パスロスが最も小さいダウンリンクコンポーネントキャリアに関連するアップリンクコンポーネントキャリアであるか、
又は、パスロスが最も小さいアップリンクコンポーネントキャリアであるか、
又は、電力ヘッドルーム報告が最も大きいアップリンクコンポーネントキャリアであるか、
又は、タイムドメインにおいてランダムアクセスチャネル（ＲＡＣＨ：Ｒａｎｄｏｍ  Ａｃｃｅｓｓ  ＣＨａｎｎｅｌ）リソースに最も近いアップリンクコンポーネントキャリアである
ことを特徴とする請求項５に記載の方法。
【請求項７】
前記ランダムアクセスポリシーは、ランダムアクセスを開始するアップリンクコンポーネントキャリアの最大数をＵＥに設定することであり、
設定されたランダムアクセスポリシーに従って前記ＵＥによって開始されたランダムアクセスプロシージャが失敗する場合とは、
前記ＵＥが選択されたアップリンクコンポーネントキャリアにおいてランダムアクセスプロシージャを開始し、選択されたアップリンクコンポーネントキャリアの数が設定された最大数に達して、ランダムアクセスプロシージャが失敗したとき、開始されたランダムアクセスプロシージャが失敗したと判定した場合である
ことを特徴とする請求項１に記載の方法。
【請求項８】
選択されたアップリンクコンポーネントキャリアは、アップリンクプライマリコンポーネントキャリアとアップリンクセカンダリコンポーネントキャリアとを含み、又は、選択されたアップリンクコンポーネントキャリアは、アップリンクセカンダリコンポーネントキャリアのみを含む
ことを特徴とする請求項７に記載の方法。
【請求項９】
前記ランダムアクセスポリシーは、ランダムアクセスを開始するアップリンクコンポーネントキャリア集合をＵＥに設定することであり、
設定されたランダムアクセスポリシーに従って前記ＵＥによって開始されたランダムアクセスプロシージャが失敗する場合とは、
前記アップリンクコンポーネントキャリア集合における全てのアップリンクコンポーネントキャリアにおいて前記ＵＥによって開始されたランダムアクセスプロシージャが失敗したとき、開始されたランダムアクセスプロシージャが失敗したと判定した場合である
ことを特徴とする請求項１に記載の方法。
【請求項１０】
更に、各アップリンクコンポーネントキャリアにおいて開始されたランダムアクセスプロシージャの失敗回数が設定された最大回数に達した場合、当該アップリンクコンポーネントキャリアにおいて開始されたランダムアクセスプロシージャが失敗したと判定し、上記アップリンクコンポーネントキャリアにおいて開始されたランダムアクセスプロシージャの失敗回数は前記設定された最大回数を超えない
ことを特徴とする請求項３〜９のいずれか１項に記載の方法。
【請求項１１】
前記無線リソース制御接続再確立プロセスをトリガーするステップは、
ＵＥが、設定されたランダムアクセスポリシーに従ってＵＥによって開始されたランダムアクセスプロシージャが失敗したと判定した後、媒体アクセス制御層（ＭＡＣ層：Ｍｅｄｉｕｍ  Ａｃｃｅｓｓ  Ｃｏｎｔｒｏｌ  ｌａｙｅｒ）が、無線リソース制御層などの上位プロトコル層のランダムアクセスに問題があったことを指摘し、前記上位プロトコル層が前記ＭＡＣ層からの前記指摘を受信し、無線リンク障害（ＲＬＦ：Ｒａｄｉｏ  Ｌｉｎｋ  Ｆａｉｌｕｒｅ）であると判断した後、無線リソース制御接続再確立プロセスをトリガーする
ことを特徴とする請求項１０に記載の方法。
【請求項１２】
無線リソース制御接続再確立プロセスをトリガーする前に、更に、
対応するタイマーが作動しているかどうかを判定し、前記タイマーが作動していない場合、無線リソース制御接続再確立プロセスをトリガーする
ことを特徴とする請求項１１に記載の方法。
【請求項１３】
前記対応するタイマーは、Ｔ３０１、Ｔ３１１及びＴ３０４を含み、
前記対応するタイマーが作動しているかどうかを判定するステップは、
無線リソース制御接続再確立イベントによってトリガーされたランダムアクセスプロシージャの場合に、Ｔ３０１及び／又はＴ３１１が作動しているかどうかを判定し、ハンドオーバーイベントによってトリガーされたランダムアクセスプロシージャの場合に、Ｔ３０４が作動しているかどうかを判定する
ことを特徴とする請求項１２に記載の方法。
【請求項１４】
ランダムアクセスポリシーをＵＥ（Ｕｓｅｒ  Ｅｑｕｉｐｍｅｎｔ）に設定するための設定ユニットと、
設定されたランダムアクセスポリシーに従ってランダムアクセスプロシージャを開始する開始ユニットと、
前記開始ユニットによって開始されたランダムアクセスプロシージャが成功したかどうかを判定し、ランダムアクセスプロシージャが失敗した場合、トリガーユニットをトリガーする判定ユニットと、
無線リソース制御接続再確立プロセスをトリガーするトリガーユニットと
を含み、
前記判定ユニットは、
更に、ダウンリンクデータの到達に必要なランダムアクセスプロシージャイベントによってトリガーされたランダムアクセスプロシージャの場合のタイマーＴｘと、アップリンクデータの到達に必要なランダムアクセスプロシージャイベントによってトリガーされたランダムアクセスプロシージャの場合のタイマーＴｙと、前記ＵＥのロケーションに必要なランダムアクセスプロシージャイベントによってトリガーされたランダムアクセスプロシージャの場合のタイマーＴｚとを設定し、前記タイマーＴｘ、Ｔｙ、Ｔｚは、最初に選択されたアップリンクコンポーネントキャリアにおいて前記ＵＥがランダムアクセスプロシージャを開始するときに始動され、
前記トリガーユニットをトリガーする前に、更に、対応するタイマーがタイムアウトしたかどうかを判定し、タイマーがタイムアウトした場合、前記トリガーユニットをトリガーし、前記対応するタイマーはＴｘ、Ｔｙ、Ｔｚのうち、１つ以上である
ことを特徴とする無線リソース制御接続再確立のトリガー装置。
【請求項１５】
前記ランダムアクセスポリシーは、設定されたアップリンクコンポーネントキャリアにおいてＵＥがランダムアクセスを開始することである
ことを特徴とする請求項１４に記載の装置。
【請求項１６】
前記設定されたアップリンクコンポーネントキャリアは、アップリンクプライマリコンポーネントキャリアと１つ以上のアップリンクセカンダリコンポーネントキャリアとを含み、
前記判定ユニットは、更に、前記開始ユニットがまずアップリンクセカンダリコンポーネントキャリアにおいてランダムアクセスプロシージャを開始し、前記１つ以上のアップリンクセカンダリコンポーネントキャリアにおいて開始されたランダムアクセスプロシージャがすべて失敗したとき、前記アップリンクプライマリコンポーネントキャリアにおいてランダムアクセスプロシージャを開始し、前記アップリンクプライマリコンポーネントキャリアにおいて開始されたランダムアクセスプロシージャが失敗したとき、設定されたアップリンクコンポーネントキャリアにおいて開始されたランダムアクセスプロシージャが失敗したと判定する
ことを特徴とする請求項１５に記載の装置。
【請求項１７】
前記設定されたアップリンクコンポーネントキャリアは、アップリンクプライマリコンポーネントキャリアであり、
前記判定ユニットは、更に、前記開始ユニットがまず前記アップリンクプライマリコンポーネントキャリアにおいてランダムアクセスプロシージャを開始し、前記アップリンクプライマリコンポーネントキャリアにおいて開始されたランダムアクセスプロシージャが失敗したとき、設定されたアップリンクコンポーネントキャリアにおいて開始されたランダムアクセスプロシージャが失敗したと判定する
ことを特徴とする請求項１５に記載の装置。
【請求項１８】
前記設定されたアップリンクコンポーネントキャリアは、所定のアップリンクコンポーネントキャリアであり、
前記判定ユニットは、更に、前記所定のアップリンクコンポーネントキャリアにおいて前記開始ユニットによって開始されたランダムアクセスプロシージャが失敗したとき、設定されたアップリンクコンポーネントキャリアにおいて開始されたランダムアクセスプロシージャが失敗したと判定する
ことを特徴とする請求項１５に記載の装置。
【請求項１９】
前記所定のアップリンクコンポーネントキャリアは、無線チャネル条件が最も良いアップリンクコンポーネントキャリアであるか、
又は、パスロスが最も小さいダウンリンクコンポーネントキャリアに関連するアップリンクコンポーネントキャリアであるか、
又は、アップリンクコンポーネントキャリアと周波数帯域が同じであり、かつ、パスロスが最も小さいダウンリンクコンポーネントキャリアに関連するアップリンクコンポーネントキャリアであるか、
又は、パスロスが最も小さいアップリンクコンポーネントキャリアであるか、
又は、電力ヘッドルーム報告が最も大きいアップリンクコンポーネントキャリアであるか、
又は、タイムドメインにおいてランダムアクセスチャネル（ＲＡＣＨ：Ｒａｎｄｏｍ  Ａｃｃｅｓｓ  ＣＨａｎｎｅｌ）リソースに最も近いアップリンクコンポーネントキャリアである
ことを特徴とする請求項１８に記載の装置。
【請求項２０】
前記ランダムアクセスポリシーは、ランダムアクセスを開始するアップリンクコンポーネントキャリアの最大数をＵＥに設定することであり、
前記判定ユニットは、更に、前記開始ユニットが選択されたアップリンクコンポーネントキャリアにおいてランダムアクセスプロシージャを開始し、選択されたアップリンクコンポーネントキャリアの数が設定された最大数に達して、ランダムアクセスプロシージャが失敗したとき、開始されたランダムアクセスプロシージャが失敗したと判定する
ことを特徴とする請求項１４に記載の装置。
【請求項２１】
前記ランダムアクセスポリシーは、ランダムアクセスを開始するアップリンクコンポーネントキャリア集合をＵＥに設定することであり、
前記判定ユニットは、更に、前記アップリンクコンポーネントキャリア集合における全てのアップリンクコンポーネントキャリアにおいて前記開始ユニットによって開始されたランダムアクセスプロシージャが失敗したとき、開始されたランダムアクセスプロシージャが失敗したと判定する
ことを特徴とする請求項１４に記載の装置。
【発明の詳細な説明】
【技術分野】
【０００１】
本発明は、ランダムアクセス技術に関し、特に、無線リソース制御接続再確立のトリガー方法及びトリガー装置に関する。
【背景技術】
【０００２】
第３世代パートナーシップ・プロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）のロング・ターム・エボリューション（ＬＴＥ：Ｌｏｎｇ  Ｔｅｒｍ  Ｅｖｏｌｕｔｉｏ）無線システムにおいて、無線リソース制御接続状態（ＲＲＣ＿ＣＯＮＮＥＣＴＥＤ）にあるユーザ装置（ＵＥ：Ｕｓｅｒ  Ｅｑｕｉｐｍｅｎｔ）は、以下の５つのイベントが発生した場合に、ネットワーク側、即ち進化型ユニバーサル陸上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、強化型基地局ｅＮＢとも称される）とのアップリンク同期を取得するために、ランダムアクセスプロシージャ（Ｒａｎｄｏｍ  Ａｃｃｅｓｓ  Ｐｒｏｃｅｄｕｒｅ）をトリガーする必要がある。上記５つのイベントは、具体的には、無線リソース制御接続再確立プロシージャ（ＲＲＣ  Ｃｏｎｅｃｔｉｏｎ  Ｒｅ−ｅｓｔａｂｌｉｓｈｍｅｎｔ  Ｐｒｏｃｅｄｕｒｅ）と、ハンドオーバー（Ｈａｎｄｏｖｅｒ）と、無線リソース制御接続状態におけるダウンリンクデータの到達に必要なランダムアクセスプロシージャ（例えば、アップリンク同期状態が「非同期」である場合）と、無線リソース制御接続状態におけるアップリンクデータの到達に必要なランダムアクセスプロシージャ（例えば、アップリンク同期状態が「非同期」である場合、又はスケジュール要求（ＳＲ：Ｓｃｈｅｄｕｌｅ  Ｒｅｑｕｅｓｔ）を転送するための利用可能な物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）リソースがない場合）と、無線リソース制御接続状態においてロケーション目的地に必要なランダムアクセスプロシージャ（例えばＵＥのロケーションに必要なタイミングアドバンス（Ｔｉｍｉｎｇ  Ａｄｖａｎｃｅ））とを含む。ランダムアクセスプロシージャは、競争ベースのランダムアクセスプロシージャと非競争ベースのランダムアクセスプロシージャという２つの形式に分類される。上記５つのイベントによってトリガーされるランダムアクセスプロシージャは、すべて競争ベースの方式であってもよい。また、ハンドオーバー、ダウンリンクデータの到達及びロケーションの３つのイベントによってトリガーされるランダムアクセスプロシージャは、非競争ベースの方式であってもよい。ランダムアクセスプロシージャは、物理ダウンリンク制御チャネルシグナリング（ＰＤＣＣＨ  ｏｒｄｅｒ）又はＵＥの媒体アクセス制御（ＭＡＣ：Ｍｅｄｉｕｍ  Ａｃｃｅｓｓ  Ｃｏｎｔｒｏｌ）層により開始することができる。ＰＤＣＣＨ  ｏｒｄｅｒ又は無線リソース制御（ＲＲＣ：Ｒａｄｉｏ  Ｒｅｓｏｕｒｃｅ  Ｃｏｎｔｒｏｌ）シグナリングは、任意に、ＵＥに専用ランダムアクセスプリアンブル（Ｒａｎｄｏｍ  Ａｃｃｅｓｓ  Ｐｒｅａｍｂｌｅ）を割り当てることができ、この場合、ランダムアクセスプロシージャは、非競争ベースの方式である。そうでなければ、ＵＥがランダムアクセスプリアンブルを選択する必要があり、この場合、ランダムアクセスプロシージャは、競争ベースの方式である。ＵＥがランダムアクセスリソースを選択することは��ランダムアクセスプリアンブルや、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）の時間周波数領域リソースなどを選択することを含む。ランダムアクセスプロシージャは、１回又は複数回で、成功する可能性があるが、最大回数に達しても成功しない可能性もある。ｅＮＢは、システム情報２（ＳＩＢ２）によって、ランダムアクセスプリアンブルの最大送信回数（Ｐｒｅａｍｂｌｅ  Ｔｒａｎｓ  Ｍａｘ）パラメータをＵＥに予め設定する。ＵＥから送信されたランダムアクセスプリアンブルのカウンターＰＲＥＡＭＢＬＥ＿ＴＲＡＮＳＭＩＳＳＩＯＮ＿ＣＯＵＮＴＥＲが１に初期化され、ランダムアクセスプロシージャが成功しなかったと判断されるたびに、前記カウンターに１が足される。前記カウンターがｐｒｅａｍｂｌｅＴｒａｎｓＭａｘ＋１である場合、ランダムアクセスプロシージャが成功しなかった回数が最大回数に達したことを示している。この場合、ＭＡＣ層は、例えば無線リソース制御層（ＲＲＣ層）などの上位プロトコル層のランダムアクセスに問題があったことを指摘する。ＵＥのＲＲＣ層は、ＭＡＣ層からの前記指摘を受信した後、タイマーＴ３００、Ｔ３０１、Ｔ３０４及びＴ３１１がすべて作動していない場合、無線リンク障害（ＲＬＦ：Ｒａｄｉｏ  Ｌｉｎｋ  Ｆａｉｌｕｒｅ）を検出したと判断する。そして、アクセス層（ＡＳ：Ａｃｃｅｓｓ  Ｓｔｒａｔｕｍ）セキュリティが既にアクティブである場合に、無線リソース制御接続再確立プロセスをトリガーする。第３世代パートナーシップ・プロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）プロトコル規格ＴＳ３６．３３１の第７．３節の表に前記タイマーの始動条件と停止条件が示されている。無線リソース制御アイドル状態（ＲＲＣ＿ＩＤＬＥ）にあるＵＥが最初にネットワークにアクセスした場合、Ｔ３００は、無線リソース制御接続要求メッセージ（ＲＲＣＣｏｎｎｅｃｔｉｏｎＲｅｑｕｅｓｔ）を転送するときに始動される。Ｔ３０１は、ＵＥが無線リソース制御接続再確立要求メッセージ（ＲＲＣＣｏｎｎｅｃｔｉｏｎＲｅｅｓｔａｂｌｉｓｈｍｅｎｔＲｅｑｕｅｓｔ）を転送するときに始動される。また、Ｔ３０１は、ＵＥが無線リソース制御接続再確立メッセージ（ＲＲＣＣｏｎｎｅｃｔｉｏｎＲｅｅｓｔａｂｌｉｓｈｍｅｎｔ）又は無線リソース制御接続再確立拒否メッセージ（ＲＲＣＣｏｎｎｅｃｔｉｏｎＲｅｅｓｔａｂｌｉｓｈｍｅｎｔＲｅｊｅｃｔ）を受信したとき、又は選択されたセルが適切でなくなったときに、停止される。Ｔ３０４は、モビリティ制御情報メッセージ（ＭｏｂｉｌｉｔｙＣｏｎｔｒｏｌ  Ｉｎｆｏ）を含む無線リソース制御接続再設定メッセージ（ＲＲＣＣｏｎｎｅｃｔｉｏｎＲｅｃｏｎｆｉｇｕｒａｔｉｏｎ）をＵＥが送信したとき、又はセルチェンジオーダ（ＣｅｌｌＣｈａｎｇｅＯｒｄｅｒ）を含む進化型ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）陸上無線アクセス（ＥＵＴＲＡ：Ｅｖｏｌｖｅｄ  ＵＭＴＳ  Ｔｅｒｒｅｓｔｒｉａｌ  Ｒａｄｉｏ  Ａｃｃｅｓｓ）モビリティコマンド（ＭｏｂｉｌｉｔｙＦｒｏｍＥＵＴＲＡＣｏｍｍａｎｄ）メッセージをＵＥが受信したときに始動される。また、Ｔ３０４は、ＥＵＴＲＡへのハードオーバーが首尾よく完了したとき、又はセルチェンジオーダが満たされたときに、停止される。Ｔ３１１は、無線リソース制御接続再確立（ＲＲＣ  ｃｏｎｎｅｃｔｉｏｎ  ｒｅ−ｅｓｔａｂｌｉｓｈｍｅｎｔ）を開始するときに始動され、適切なＥ−ＵＴＲＡセルが選択されたとき、又は別の無線アクセス技術（ＲＡＴ：Ｒａｄｉｏ  Ａｃｃｅｓｓ  Ｔｅｃｈｎｏｌｏｇｙ）が使用されるときに、停止される。
【０００３】
より高いデータレートをモバイルユーザに提供するために、ロング・ターム・エボリューション・アドバンスド（ＬＴＥ−Ａ：Ｌｏｎｇ  Ｔｅｒｍ  Ｅｖｏｌｕｔｉｏｎ  Ａｄｖａｎｃｅｄ）システムにおいて、キャリアアグリゲーション（ＣＡ：Ｃａｒｒｉｅｒ  Ａｇｇｒｅｇａｔｉｏｎ）技術が採用されている。ＬＴＥシステムは、ダウンリンク、アップリンクでの最大伝送帯域幅がそれぞれ２０ＭＨｚであるため、２０ＭＨｚより大きい伝送帯域幅をサポートするために、ＬＴＥ−Ａシステムのキャリアアグリゲーションによって、ダウンリンク及び／又はアップリンクで２つ以上のコンポーネント・キャリア（ＣＣ：Ｃｏｍｐｏｎｅｎｔ  Ｃａｒｒｉｅｒ）を結合している。３ＧＰＰバージョン１０（Ｒｅｌ−１０）のＬＴＥ−Ａシステムは、ダウンリンク、アップリンクでの最大伝送帯域幅がそれぞれ１００ＭＨｚを超えないため、ダウンリンク、アップリンクでそれぞれ最大で５つのＣＣアグリゲーションをサポートする。キャリアアグリゲーション能力を持つＬＴＥ−Ａ  ＵＥは、同時に複数のコンポーネント・キャリアでデータを送受信することができる。本願において、以降で説明されるＵＥは、特別な説明がない限り、全てこのようなＵＥである。ＵＥは、それぞれ１つのダウンリンクプライマリーコンポーネントキャリア（ＤＬＰＣＣ：Ｄｏｗｎｌｉｎｋ  Ｐｒｉｍａｒｙ  Ｃｏｍｐｏｎｅｎｔ  Ｃａｒｒｉｅｒ）と１つのアップリンクプライマリーコンポーネントキャリア（ＵＬＰＣＣ：Ｕｐｌｉｎｋ  Ｐｒｉｍａｒｙ  Ｃｏｍｐｏｎｅｎｔ  Ｃａｒｒｉｅｒ）とが設定され、また、０〜４個のダウンリンクセカンダリコンポーネントキャリア（ＤＬＳＣＣ：Ｄｏｗｎｌｉｎｋ  Ｓｅｃｏｎｄａｒｙ  Ｃｏｍｐｏｎｅｎｔ  Ｃａｒｒｉｅｒ）及び／又は０〜４個のアップリンクセカンダリコンポーネントキャリア（ＵＬＳＣＣ：Ｕｐｌｉｎｋ  Ｓｅｃｏｎｄａｒｙ  Ｃｏｍｐｏｎｅｎｔ  Ｃａｒｒｉｅｒ）が設定される。ＵＬＣＣの総数は、ＤＬＣＣの総数以下とされる。ＵＬＣＣは、バンド内（Ｉｎｔｒａ−ｂａｎｄ）に少なくとも１つの関連するＤＬＣＣを有しており、アップリンク、ダウンリンクキャリア間の関連関係は、システム情報ブロードキャスト（ＳＩＢ２）又は専用シグナリング（例えばＲＲＣシグナリング）によって設定される。ＤＬＰＣＣは、ＵＥが最初にｅＮＢにアクセスする場合のＣＣであり、ＵＥは、ＲＲＣ＿ＣＯＮＮＥＣＴＥＤ状態にある場合にＲＲＣ接続再設定（ＲＲＣ  ｃｏｎｎｅｃｔｉｏｎ  ｒｅｃｏｎｆｉｇｕｒａｔｉｏｎ）によって、ＤＬＰＣＣを別のＤＬＣＣに変更することができる。ＵＬＰＣＣは、システム情報ブロードキャスト、又は、例えばＲＲＣシグナリングなどの専用シグナリングによって、別のＵＬＣＣに再設定することもできる。無線リソース制御接続状態にあるＵＥは、いかなるときも１つのＤＬＰＣＣと１つのＵＬＰＣＣの設定を少なくとも保持する。ＤＬＰＣＣがＲＬＦを検出した場合に、無線リソース制御接続再確立プロシージャをトリガーし、ＤＬＳＣＣのＲＬＦは無線リソース制御接続再確立プロシージャをトリガーしない。ＵＬＰＣＣには、ハイブリッド自動再送要求（ＨＡＲＱ：Ｈｙｂｒｉｄ  Ａｕｔｏｍａｔｉｃ  ＲｅｐｅａｔｒｅＱｕｅｓｔ���フィードバック（ＨＡＲＱ  ＡＣＫ／ＮＡＣＫ）、ＳＲ、周期的チャネル品質インジケータ（ＣＱＩ：Ｃｈａｎｎｅｌ  Ｑｕａｌｉｔｙ  Ｉｎｄｉｃａｔｏｒ）等のシグナリングを送信するためのＰＵＣＣＨリソースが設定されている。
【０００４】
ＬＴＥ−ＡＲｅｌ−１０ＣＡにおいて、全てのＣＣはそれぞれ下位互換性を有している。セル（ｃｅｌｌ）又はｅＮＢの観点からすると、各ＵＬ  ＣＣにはそれぞれランダムアクセスチャネル（ＲＡＣＨ：Ｒａｎｄｏｍ  Ａｃｃｅｓｓ  ＣＨａｎｎｅｌ）リソースが設定されている。ＵＥの観点からすると、設定されたＵＬＣＣにおいて、あるＵＬＣＣ上のＲＡＣＨリソースが当該ＵＥに対して設定されていない可能性があるので、あるＵＥは、その設定されたＵＬＣＣの一部から、使用可能なＲＡＣＨリソースを選択するしかない可能性がある。ＵＥは、１つ以上のＵＬＣＣでランダムアクセスプロシージャを開始することができる。ランダムアクセスプロシージャは、任意時刻で１つだけで、複数のＣＣで別々にシリアルで行われるか、又は複数のＵＬＣＣでパラレルで行われる。ＬＴＥ−Ａシステムが単一のＴＡのみをサポートする場合、任意時刻で１つのＵＬＣＣでランダムアクセスプロシージャを行う必要がある。そして、ある特定のＵＬＣＣにおけるランダムアクセスプロシージャが成功しなかった場合にのみ、ランダムアクセスプロシージャが、選択により別のＵＬＣＣにおいて開始される可能性がある。複数のＴＡをサポートする場合、複数のＵＬＣＣで別々にシリアルでランダムアクセスプロシージャが行われてもよいし、１つのＵＬＣＣでランダムアクセスが成功したとしても、別のＵＬＣＣにおいてランダムアクセスプロシージャが開始されてもよい。あるいは、複数のＵＬＣＣでパラレルでランダムアクセスプロシージャが行われてもよい。従って、ＬＴＥ−Ａでは、１つのＵＬＣＣでランダムアクセスプロシージャの失敗回数が最大回数ｐｒｅａｍｂｌｅＴｒａｎｓＭａｘに達したとしても、必ずしも無線リンク障害（ＲＬＦ）や無線リソース制御接続再確立の必要性を意味するものではない。ＵＥがＵＬＰＣＣのみでランダムアクセスを開始し、ランダムアクセスの失敗回数が最大回数に達した場合、ＭＡＣ層は、ＲＲＣ層におけるランダムアクセスに問題があったことを指摘する。または、ＵＥが任意の１つのＵＬＣＣでランダムアクセスプロシージャを開始し、ランダムアクセスの失敗回数が最大回数に達した場合、ＭＡＣ層は、ＲＲＣ層におけるランダムアクセスに問題があったことを指摘する。上記２つの方法は、ＬＴＥシステムにおける対応する方法と一致している。または、ＵＥは、ある特定のＵＬＣＣにおけるランダムアクセスの失敗回数が最大回数に達したとき、引き続き、別のＵＬＣＣでランダムアクセスを開始することを試みる。全てのＵＬＣＣにおけるランダムアクセスの失敗回数がすべて最大回数に達した場合、ＭＡＣ層は、ＲＲＣ層におけるランダムアクセスに問題があったことを指摘する。当該方法では、ＵＬＣＣの無線条件、ＲＡＣＨリソース構成、遅延、ＵＬＣＣの選択方法、ある特定のＵＬＣＣが繰り返し選択可能であるかどうかなどのことが考慮されていない。
【発明の概要】
【発明が解決しようとする課題】
【０００５】
これに鑑みて、本発明の主な目的は、無線リンクの回復効率を向上させるがことができる無線リソース制御接続再確立のトリガー方法及びトリガー装置を提供することにある。
【課題を解決するための手段】
【０００６】
上記目的を達成するために、本発明の技術的スキームは、次のように実現される。
無線リソース制御接続再確立のトリガー方法は、ランダムアクセスポリシーをＵＥに設定し、更に、設定されたランダムアクセスポリシーに従ってＵＥによって開始されたランダムアクセスプロシージャが失敗した場合、無線リソース制御接続再確立プロセスをトリガーする。
【０００７】
好ましくは、前記ランダムアクセスポリシーは、設定されたアップリンクコンポーネントキャリアにおいてＵＥがランダムアクセスを開始することである。
【０００８】
好ましくは、前記設定されたアップリンクコンポーネントキャリアは、アップリンクプライマリコンポーネントキャリアと１つ以上のアップリンクセカンダリコンポーネントキャリアとを含み、
設定されたランダムアクセスポリシーに従って前記ＵＥによって開始されたランダムアクセスプロシージャが失敗する場合とは、
前記ＵＥがまずアップリンクセカンダリコンポーネントキャリアにおいてランダムアクセスプロシージャを開始し、前記１つ以上のアップリンクセカンダリコンポーネントキャリアにおいて開始されたランダムアクセスプロシージャがすべて失敗したとき、前記アップリンクプライマリコンポーネントキャリアにおいてランダムアクセスプロシージャを開始し、前記アップリンクプライマリコンポーネントキャリアにおいて開始されたランダムアクセスプロシージャが失敗したとき、設定されたアップリンクコンポーネントキャリアにおいて開始されたランダムアクセスプロシージャが失敗したと判定した場合である。
【０００９】
好ましくは、前記設定されたアップリンクコンポーネントキャリアは、アップリンクプライマリコンポーネントキャリアであり、
前記ＵＥによって設定されたランダムアクセスポリシーに従って開始されたランダムアクセスプロシージャが失敗する場合とは、
前記ＵＥがまず前記アップリンクプライマリコンポーネントキャリアにおいてランダムアクセスプロシージャを開始し、前記アップリンクプライマリコンポーネントキャリアにおいて開始されたランダムアクセスプロシージャが失敗したとき、設定されたアップリンクコンポーネントキャリアにおいて開始されたランダムアクセスプロシージャが失敗したと判定した場合である。
【００１０】
好ましくは、前記設定されたアップリンクコンポーネントキャリアは、所定のアップリンクコンポーネントキャリアであり、
設定されたランダムアクセスポリシーに従って前記ＵＥによって開始されたランダムアクセスプロシージャが失敗する場合とは、
前記所定のアップリンクコンポーネントキャリアにおいて開始されたランダムアクセスプロシージャが失敗したとき、設定されたアップリンクコンポーネントキャリアにおいて開始されたランダムアクセスプロシージャが失敗したと判定した場合である。
【００１１】
好ましくは、前記所定のアップリンクコンポーネントキャリアは、無線チャネル条件が最も良いアップリンクコンポーネントキャリアであるか、
又は、パスロスが最も小さいダウンリンクコンポーネントキャリアに関連するアップリンクコンポーネントキャリアであるか、
又は、アップリンクコンポーネントキャリアと周波数帯域が同じであり、かつ、パスロスが最も小さいダウンリンクコンポーネントキャリアに関連するアップリンクコンポーネントキャリアであるか、
又は、パスロスが最も小さいアップリンクコンポーネントキャリアであるか、
又は、電力ヘッドルーム報告が最も大きいアップリンクコンポーネントキャリアであるか、
又は、タイムドメインにおいてランダムアクセスチャネルＲＡＣＨリソースに最も近いアップリンクコンポーネントキャリアである。
【００１２】
好ましくは、前記ランダムアクセスポリシーは、ランダムアクセスを開始するアップリンクコンポーネントキャリアの最大数をＵＥに設定することであり、
設定されたランダムアクセスポリシーに従って前記ＵＥによって開始されたランダムアクセスプロシージャが失敗する場合とは、
前記ＵＥが選択されたアップリンクコンポーネントキャリアにおいてランダムアクセスプロシージャを開始し、選択されたアップリンクコンポーネントキャリアの数が設定された最大数に達して、ランダムアクセスプロシージャが失敗したとき、開始されたランダムアクセスプロシージャが失敗したと判定した場合である。
【００１３】
好ましくは、選択されたアップリンクコンポーネントキャリアは、アップリンクプライマリコンポーネントキャリアとアップリンクセカンダリコンポーネントキャリアとを含み、又は、選択されたアップリンクコンポーネントキャリアは、アップリンクセカンダリコンポーネントキャリアのみを含む。
【００１４】
好ましくは、前記ランダムアクセスポリシーは、ランダムアクセスを開始するアップリンクコンポーネントキャリア集合をＵＥに設定することであり、
設定されたランダムアクセスポリシーに従って前記ＵＥによって開始されたランダムアクセスプロシージャが失敗する場合とは、
前記アップリンクコンポーネントキャリア集合における全てのアップリンクコンポーネントキャリアにおいて前記ＵＥによって開始されたランダムアクセスプロシージャが失敗したとき、開始されたランダムアクセスプロシージャが失敗したと判定した場合である。
【００１５】
好ましくは、前記方法は、更に、
各アップリンクコンポーネントキャリアにおいて開始されたランダムアクセスプロシージャの失敗回数が設定された最大回数に達した場合、当該アップリンクコンポーネントキャリアにおいて開始されたランダムアクセスプロシージャが失敗したと判定し、上記アップリンクコンポーネントキャリアにおいて開始されたランダムアクセスプロシージャの失敗回数は、前記設定された最大回数を超えない。
【００１６】
好ましくは、前記無線リソース制御接続再確立プロセスをトリガーするステップは、
ＵＥが、設定されたランダムアクセスポリシーに従ってＵＥによって開始されたランダムアクセスプロシージャが失敗したと判定した後、媒体アクセス制御（ＭＡＣ：Ｍｅｄｉｕｍ  Ａｃｃｅｓｓ  Ｃｏｎｔｒｏｌ）層が、無線リソース制御層などの上位層プロトコル層のランダムアクセスに問題があったことを指摘し、前記上位プロトコル層が前記ＭＡＣ層からの前記指摘を受信し、無線リンク障害（ＲＬＦ）であると判断した後、無線リソース制御接続再確立プロセスをトリガーする。
【００１７】
好ましくは、前記方法は、無線リソース制御接続再確立プロセスをトリガーする前に、更に、
対応するタイマーが作動しているかどうかを判定し、前記タイマーが作動していない場合、無線リソース制御接続再確立プロセスをトリガーする。
【００１８】
好ましくは、前記対応するタイマーは、Ｔ３０１、Ｔ３１１及びＴ３０４を含む。
前記対応するタイマーが作動しているかどうかを判定するステップは、
無線リソース制御接続再確立イベントによってトリガーされたランダムアクセスプロシージャの場合に、Ｔ３０１及び／又はＴ３１１が作動しているかどうかを判定し、ハンドオーバーイベントによってトリガーされたランダムアクセスプロシージャの場合に、Ｔ３０４が作動しているかどうかを判定する。
【００１９】
好ましくは、前記方法は、更に、
ダウンリンクデータの到達に必要なランダムアクセスプロシージャイベントによってトリガーされたランダムアクセスプロシージャの場合のタイマーＴｘと、アップリンクデータの到達に必要なランダムアクセスプロシージャイベントによってトリガーされたランダムアクセスプロシージャの場合のタイマーＴｙと、前記ＵＥロケーションに必要なランダムアクセスプロシージャイベントによってトリガーされたランダムアクセスプロシージャの場合のタイマーＴｚとを設定し、前記タイマーＴｘ、Ｔｙ、Ｔｚは、最初に選択されたアップリンクコンポーネントキャリアにおいて前記ＵＥがランダムアクセスプロシージャを開始するときに始動され、
無線リソース制御接続再確立プロセスをトリガーする前に、更に、対応するタイマーがタイムアウトしたかどうかを判定し、タイマーがタイムアウトした場合、無線リソース制御接続再確立プロセスをトリガーし、前記対応するタイマーはＴｘ、Ｔｙ、Ｔｚのうち、１つ以上である。
【００２０】
無線リソース制御接続再確立のトリガー装置は、
ランダムアクセスポリシーをＵＥに設定するための設定ユニットと、
設定されたランダムアクセスポリシーに従ってランダムアクセスプロシージャを開始する開始ユニットと、
前記開始ユニットによって開始されたランダムアクセスプロシージャが成功したかどうかを判定し、ランダムアクセスプロシージャが失敗した場合、トリガーユニットをトリガーする判定ユニットと、
無線リソース制御接続再確立プロセスをトリガーするトリガーユニットとを含む。
【００２１】
好ましくは、前記ランダムアクセスポリシーは、設定されたアップリンクコンポーネントキャリアにおいてＵＥがランダムアクセスを開始することである。
【００２２】
好ましくは、前記設定されたアップリンクコンポーネントキャリアは、アップリンクプライマリコンポーネントキャリアと１つ以上のアップリンクセカンダリコンポーネントキャリアとを含み、
前記判定ユニットは、更に、前記開始ユニットがまずアップリンクセカンダリコンポーネントキャリアにおいてランダムアクセスプロシージャを開始し、前記１つ以上のアップリンクセカンダリコンポーネントキャリアにおいて開始されたランダムアクセスプロシージャがすべて失敗したとき、前記アップリンクプライマリコンポーネントキャリアにおいてランダムアクセスプロシージャを開始し、前記アップリンクプライマリコンポーネントキャリアにおいて開始されたランダムアクセスプロシージャが失敗したとき、設定されたアップリンクコンポーネントキャリアにおいて開始されたランダムアクセスプロシージャが失敗したと判定する。
【００２３】
好ましくは、前記設定されたアップリンクコンポーネントキャリアは、アップリンクプライマリコンポーネントキャリアであり、
前記判定ユニットは、更に、前記開始ユニットがまず前記アップリンクプライマリコンポーネントキャリアにおいてランダムアクセスプロシージャを開始し、前記アップリンクプライマリコンポーネントキャリアにおいて開始されたランダムアクセスプロシージャが失敗したとき、設定されたアップリンクコンポーネントキャリアにおいて開始されたランダムアクセスプロシージャが失敗したと判定する。
【００２４】
好ましくは、前記設定されたアップリンクコンポーネントキャリアは、所定のアップリンクコンポーネントキャリアであり、
前記判定ユニットは、更に、前記所定のアップリンクコンポーネントキャリアにおいて前記開始ユニットによって開始されたランダムアクセスプロシージャが失敗したとき、設定されたアップリンクコンポーネントキャリアにおいて開始されたランダムアクセスプロシージャが失敗したと判定する。
【００２５】
好ましくは、前記所定のアップリンクコンポーネントキャリアは、無線チャネル条件が最も良いアップリンクコンポーネントキャリアであるか、
又は、パスロスが最も小さいダウンリンクコンポーネントキャリアに関連するアップリンクコンポーネントキャリアであるか、
又は、アップリンクコンポーネントキャリアと周波数帯域が同じであり、かつ、パスロスが最も小さいダウンリンクコンポーネントキャリアに関連するアップリンクコンポーネントキャリアであるか、
又は、パスロスが最も小さいアップリンクコンポーネントキャリアであるか、
又は、電力ヘッドルーム報告が最も大きいアップリンクコンポーネントキャリアであるか、
又は、タイムドメインにおいてランダムアクセスチャネル（ＲＡＣＨ）リソースに最も近いアップリンクコンポーネントキャリアである。
【００２６】
好ましくは、前記ランダムアクセスポリシーは、ランダムアクセスを開始するアップリンクコンポーネントキャリアの最大数をＵＥに設定することであり、
前記判定ユニットは、更に、前記開始ユニットが選択されたアップリンクコンポーネントキャリアにおいてランダムアクセスプロシージャを開始し、選択されたアップリンクコンポーネントキャリアの数が設定された最大数に達して、ランダムアクセスプロシージャが失敗したとき、開始されたランダムアクセスプロシージャが失敗したと判定する。
【００２７】
好ましくは、前記ランダムアクセスポリシーは、ランダムアクセスを開始するアップリンクコンポーネントキャリア集合をＵＥに設定することであり、
前記判定ユニットは、前記アップリンクコンポーネントキャリア集合における全てのアップリンクコンポーネントキャリアにおいて前記開始ユニットによって開始されたランダムアクセスプロシージャが失敗した場合、開始されたランダムアクセスプロシージャが失敗したと判定する。
【００２８】
本発明によれば、無線アクセスプロシージャが失敗した場合における無線リソース制御接続再確立のトリガー方式を再設定することにより、従来の無線リソース制御接続再確立トリガー方式を兼用するという前提の下、ＵＥの無線リソース制御接続再確立の遅延を大幅に短縮することができ、可能な限り素早く無線リンクを回復させることができる。具体的には、本発明の技術的スキームは、簡単で実行しやすく、また、本発明は、従来技術に対して互換性がよい、遅延が小さい、無線リンクの回復が速い等の利点を持つ。
【図面の簡単な説明】
【００２９】
【図１】本発明の第１実施形態に係る無線リソース制御接続再確立のトリガー方法のフローチャートである。
【図２】本発明の第２実施形態に係る無線リソース制御接続再確立のトリガー方法のフローチャートである。
【図３】本発明の第３実施形態に係る無線リソース制御接続再確立のトリガー方法のフローチャートである。
【図４】本発明に係る無線リソース制御接続再確立のトリガー装置の構造を示す図である。
【発明を実施するための形態】
【００３０】
本発明の目的、技術的スキーム及び利点がさらに明確になるように、以下、実施形態を挙げて添付図面を参照しながら、本発明をさらに詳しく説明する。
【００３１】
第１実施形態
本実施形態では、ＵＬＰＣＣで開始されたランダムアクセスプロシージャが成功したかどうかに応じて、ＵＥのＭＡＣ層で開始されたランダムアクセスプロシージャが成功したかどうかが判定される。更に、ＵＥによって開始されたランダムアクセスプロシージャが失敗した場合、例えばＲＲＣ層などの上位プロトコル層におけるランダムアクセスに問題があったことが指摘され、例えばＲＲＣ層などの上位プロトコル層によって無線リソース制御接続再確立プロセスがトリガーされる。以下、詳しく説明する。
【００３２】
例えば、ＵＥがまずＵＬＳＣＣでランダムアクセスプロシージャを開始する場合を想定する。この場合において、ランダムアクセスプロシージャの失敗回数が最大回数ｐｒｅａｍｂｌｅＴｒａｎｓＭａｘに達した場合、次にＵＬＰＣＣでランダムアクセスプロシージャを開始する。ランダムアクセスプロシージャの失敗回数が最大回数ｐｒｅａｍｂｌｅＴｒａｎｓＭａｘに達した場合、ＭＡＣ層は、例えばＲＲＣ層などの上位プロトコル層におけるランダムアクセスに問題があったことを指摘する。ここで、ｐｒｅａｍｂｌｅＴｒａｎｓＭａｘは、関連プロトコルにおける設定値である。上記ＵＬＳＣＣが２つ以上の場合、１つのＵＬＳＣＣで開始されたランダムアクセスプロシージャが失敗した後、ＵＬＰＣＣでランダムアクセスプロシージャを直接開始することを選択することもできるし、引き続き、別のＵＬＳＣＣでランダムアクセスプロシージャを開始することを選択することもできる。具体的な選択方式はＵＥに設定されている。上記ＵＬＳＣＣが選択される場合、ＵＬＰＣＣが選択される前に、同じＵＬＳＣＣを２回選択することができない。
【００３３】
ＲＲＣ層は、前記ＭＡＣ層からの指摘を受信すると、無線リンク障害（ＲＬＦ）であると判断し、無線リソース制御接続再確立プロシージャをトリガーする。
【００３４】
例えば、ＵＥがまずＵＬＰＣＣでランダムアクセスプロシージャを開始する場合を想定する。この場合において、ランダムアクセスプロシージャの失敗回数が最大回数ｐｒｅａｍｂｌｅＴｒａｎｓＭａｘに達した場合、ＭＡＣ層は、例えばＲＲＣ層などの上位プロトコル層におけるランダムアクセスに問題があったことを指摘する。
【００３５】
ＲＲＣ層は、前記ＭＡＣ層からの指摘を受信すると、無線リンク障害（ＲＬＦ）であると判断し、無線リソース制御接続再確立プロシージャをトリガーする。
【００３６】
あるいは、上記した２つの場合において、ＲＲＣ層は、ランダムアクセスに問題があったという、前記ＭＡＣ層からの指摘を受信し、タイマーが作動していないときに、無線リンク障害（ＲＬＦ）であると判断して、無線リソース制御接続再確立プロセスをトリガーする。前記タイマーは、無線リソース制御接続再確立イベントによってトリガーされたランダムアクセスプロシージャの場合、Ｔ３０１、Ｔ３１１である。また、前記タイマーは、ハンドオーバーイベントによってトリガーされたランダムアクセスプロシージャの場合、Ｔ３０４である。上記タイマーＴ３０１、Ｔ３１１、Ｔ３０４の定義、始動、停止は、従来技術と全て同じであり、これらについては関連プロトコルにおいて全て規定されているので、本発明ではその詳細について詳しく説明しない。
【００３７】
あるいは、前記タイマーは、ダウンリンクデータの到達に必要なランダムアクセスプロシージャイベントによってトリガーされたランダムアクセスプロシージャの場合、新規に定義されるタイマーＴｘである。また、タイマーは、アップリンクデータの到達に必要なランダムアクセスプロシージャイベントによってトリガーされたランダムアクセスプロシージャの場合、新規に定義されるタイマーＴｙであり、ＵＥのロケーションに必要なランダムアクセスプロシージャイベントによってトリガーされたランダムアクセスプロシージャの場合、新規に定義されるタイマーＴｚである。前記タイマーＴｘ、Ｔｙ、Ｔｚは、前記ＵＥが最初に選択されたＵＬＣＣにおいてランダムアクセスプロシージャを開始するときに始動される。前記タイマーＴｘ、Ｔｙ、Ｔｚは、同一のタイマーであってもよい。前記タイマーがタイムアウトした場合、無線リソース制御接続再確立プロセスがトリガーされる。
【００３８】
図１は本発明の第１実施形態に係る無線リソース制御接続再確立のトリガー方法のフローチャートである。図１に示すように、第１実施形態に係る無線リソース制御接続再確立のトリガー方法は、以下のステップを含む。
【００３９】
ステップ１０：ＵＥは、ランダムアクセスリソースを選択し、ある特定のＵＬＳＣＣを選択する。選択方式は上記した通りである。
【００４０】
具体的に、ＵＬＳＣＣを選択するための原則について説明する。
ＵＥは、以下に示す条件のうち少なくとも１つに基づいて、ランダムアクセスプロシージャを実行するＵＬＣＣを選択する。この条件は、ＵＬＣＣに関連するＤＬＣＣのパスロスに基づく条件（例えば、パスロスが最も小さいＤＬＣＣに関連するＵＬＣＣを選択する）、ＵＬＣＣのパスロスに基づく条件（例えば、パスロスが最も小さいＵＬＣＣを選択する）、ＵＬＣＣと同じ周波帯（ｂａｎｄ）の関連するＤＬＣＣのパスロスに基づく条件（例えばＵＬＣＣと同じ周波帯であり、かつ、パスロスが最も小さいＤＬＣＣに関連するＵＬＣＣを選択する）、ＵＥのＵＬＣＣにおける電力ヘッドルーム報告（ＰＨＲ：Ｐｏｗｅｒ  Ｈｅａｄｒｏｏｍ  Ｒｅｐｏｒｔ）に基づく条件（例えば、ＰＨＲが最も大きいＵＬＣＣを選択する）、ランダムアクセスリソースの時間周波数領域構成に基づく条件（例えばランダムアクセスチャネルに最も近いＵＬＣＣを選択する）、ランダム選択等の条件である。
【００４１】
ステップ２０：ＵＥは、選択されたＵＬＳＣＣにおいてランダムアクセスプロシージャを開始する。
【００４２】
ステップ３０：ランダムアクセスプロシージャの失敗回数が最大回数に達したかどうかを判断し、達していない場合、ステップ２０を実行し、達した場合、ステップ４０を実行する。
【００４３】
ステップ４０：ＵＥは、ＵＬＰＣＣにおけるランダムアクセスリソース（即ちＲＡＣＨ）を選択する。
【００４４】
ステップ５０：ＵＥは、選択されたＵＬＰＣＣにおいてランダムアクセスプロシージャを開始する。
【００４５】
ステップ６０：ランダムアクセスプロシージャの失敗回数が最大回数に達したかどうかを判断し、達していない場合、ステップ５０を実行し、達した場合、ステップ７０を実行する。
【００４６】
ステップ７０：ＭＡＣ層は、ＲＲＣ層におけるランダムアクセスに問題があったことを指摘する。
【００４７】
ステップ８０：ＲＲＣ層は、ＲＬＦであると判断し、無線リソース制御接続再確立プロセスをトリガーする。あるいは、ＲＲＣ層は、本実施形態に係る上述のタイマーの作動状況に応じて、ＲＬＦであるかどうかを更に判定し、無線リソース制御接続再確立プロセスをトリガーする。
【００４８】
第２実施形態
本実施形態では、全てのＵＬＣＣで開始されたランダムアクセスプロシージャが失敗することにより、無線リソース制御接続再確立プロセスがトリガーされる。以下、詳しく説明する。
【００４９】
ＵＥは、ある特定のＵＬＣＣでランダムアクセスプロシージャを開始する。当該ＵＬＣＣで開始されたランダムアクセスプロシージャの失敗回数が最大回数ｐｒｅａｍｂｌｅＴｒａｎｓＭａｘに達したとき、引き続き、別のＵＬＣＣでランダムアクセスプロシージャを開始し、残りを推定する。設定された各ＵＬＣＣにおいてＵＥによって開始されたランダムアクセスプロシージャの失敗回数が全て最大回数ｐｒｅａｍｂｌｅＴｒａｎｓＭａｘに達したとき、ＭＡＣ層は、例えばＲＲＣ層などの上位プロトコル層におけるランダムアクセスに問題があったことを指摘する。
【００５０】
ＵＥに設定されるＵＬＣＣは、ランダムアクセスリソースを当該ＵＥに設定する全てのＵＬＣＣ又は全てのＵＬＣＣのサブセット又は予め設定された対応する数のＵＬＣＣである。ＵＬＣＣサブセット又は個数は、ＵＥに予め設定される。サブセットには、ＵＬＰＣＣ及びＵＬＳＣＣが含まれ、又はＵＬＳＣＣのみが含まれる。予め設定された対応する数のＵＬＣＣには、ＵＬＰＣＣ及びＵＬＳＣＣが含まれ、又はＵＬＳＣＣのみが含まれる。
【００５１】
ＲＲＣ層は、前記ＭＡＣ層からの指摘を受信した後、ＲＬＦであると判断し、無線リソース制御接続再確立プロセスをトリガーする。
【００５２】
本実施形態において、ＵＥは、設定された各ＵＬＣＣにおいてランダムアクセスプロシージャを開始する場合に、ランダムアクセスプロシージャの失敗回数が最大回数ｐｒｅａｍｂｌｅＴｒａｎｓＭａｘに達したＵＬＣＣを繰り返して選択することができない。あるいは、ＵＥは、予め設定された時間範囲内にランダムアクセスプロシージャの失敗回数が最大回数に達したＵＬＣＣを繰り返して選択することができない。具体的には、ＵＥは、カウンターで各ＵＬＣＣが選択された回数を記録する。各ＵＬＣＣには、初期値が０である対応するカウンターが設定される。ある特定のＵＬＣＣにおいてＵＥによって開始されたランダムアクセスプロシージャの失敗回数が最大回数ｐｒｅａｍｂｌｅＴｒａｎｓＭａｘに達した場合、前記対応するカウンターの値に１が足される。前記対応するカウンターの値が１である場合、対応するＵＬＣＣは、ランダムアクセスプロシージャを開始するために選択され得ない。前記カウンターは、ＲＲＣ再確立がトリガーされた後にリセットされる。
【００５３】
あるいは、ＲＲＣ層は、ランダムアクセスに問題があったという、前記ＭＡＣ層からの指摘を受信した後、タイマーが作動していないときに、ＲＬＦであると判断し、無線リソース制御接続再確立プロセスをトリガーする。
【００５４】
前記タイマーは、無線リソース制御接続再確立イベントによってトリガーされたランダムアクセスプロシージャの場合、Ｔ３０１、Ｔ３１１である。また、前記タイマーは、ハンドオーバーイベントによってトリガーされたランダムアクセスプロシージャの場合、Ｔ３０４である。上記タイマーＴ３０１、Ｔ３１１、Ｔ３０４の定義、始動、停止は、従来技術と全て同じであり、これらについては関連プロトコルにおいて全て規定されているので、本発明ではその詳細については詳しく説明しない。
【００５５】
あるいは、前記タイマーは、ダウンリンクデータの到達に必要なランダムアクセスプロシージャイベントによってトリガーされたランダムアクセスプロシージャの場合、新規に定義されるタイマーＴｘである。また、前記タイマーは、アップリンクデータの到達に必要なランダムアクセスプロシージャイベントによってトリガーされたランダムアクセスプロシージャの場合、新規に定義されるのタイマーＴｙであり、ＵＥのロケーションに必要なランダムアクセスプロシージャイベントによってトリガーされたランダムアクセスプロシージャの場合、新規に定義されるタイマーＴｚである。前記タイマーＴｘ、Ｔｙ、Ｔｚは、前記ＵＥが最初に選択されたアップリンクコンポーネントキャリアにおいてランダムアクセスプロシージャを開始するときに始動される。前記タイマーＴｘ、Ｔｙ、Ｔｚは、同一のタイマーであってもよい。前記タイマーがタイムアウトした場合、無線リソース制御接続再確立プロセスをトリガーする。
【００５６】
図２は本発明の第２実施形態に係る無線リソース制御接続再確立のトリガー方法のフローチャートである。図２に示すように、本実施形態における無線リソース制御再確立トリガー方法は、以下のステップを含む。
【００５７】
ステップ１０：ＵＥは、ランダムアクセスリソースを選択し、ある特定のＵＬＣＣを選択する。
【００５８】
ステップ２０：ＵＥは、選択されたＵＬＣＣにおいてランダムアクセスプロシージャを開始する。
【００５９】
ステップ３０：ランダムアクセスプロシージャの失敗回数が最大回数に達したかどうかを判断し、達していない場合、ステップ２０を実行し、達した場合、ステップ４０を実行する。
【００６０】
ステップ４０：ＵＥは、別のＵＬＣＣにおいてランダムアクセスプロシージャを開始する（ランダムアクセス失敗回数が最大回数に達したＵＬＣＣは、再選択され得ない）。
【００６１】
ステップ５０：ランダムアクセスプロシージャの失敗回数が最大回数に達したかどうかを判断し、達していない場合、ステップ４０を実行し、達した場合、ステップ６０を実行する。
【００６２】
ステップ６０：ＭＡＣ層は、ＲＲＣ層におけるランダムアクセスに問題があったことを指摘する。
【００６３】
ステップ７０：ＲＲＣ層は、ＲＬＦであると判断し、無線リソース制御接続再確立プロセスをトリガーする。あるいは、ＲＲＣ層は、本実施形態に係る上述のタイマーの作動状況に応じて、ＲＬＦであるかどうかを更に判定し、無線リソース制御接続再確立プロセスをトリガーする。
【００６４】
第３実施形態
所定のＵＬＣＣにおいてＵＥによって開始されたランダムアクセスプロシージャの失敗回数が最大回数ｐｒｅａｍｂｌｅＴｒａｎｓＭａｘに達した場合、ＭＡＣ層は、例えばＲＲＣ層などの上位プロトコル層におけるランダムアクセスに問題があったことを指摘する。前記所定のＵＬＣＣは、ＵＬＰＣＣであってもよいし、予め設定された条件を満たすＵＬＣＣであってもよい。ＵＥが所定のＵＬＣＣにおいてランダムアクセスプロシージャを開始することを選択することが好ましい。
【００６５】
前記所定のＵＬＣＣは、無線チャネル条件が最も良いＵＬＣＣであるか、
又は、パスロスが最も小さいＤＬＣＣに関連するＵＬＣＣであるか、
又は、ＵＬＣＣと周波数帯域が同じであり、かつ、パスロスが最も小さいＤＬＣＣに関連するＵＬＣＣであるか、
又は、パスロスが最も小さいＵＬＣＣであるか、
又は、電力ヘッドルーム報告が最も大きいＵＬＣＣであるか、
又は、タイムドメインにおいてランダムアクセスチャネル（ＲＡＣＨ）リソースに最も近いＵＬＣＣである。
【００６６】
ＲＲＣ層は、前記ＭＡＣ層からの指摘を受信し、ＲＬＦであると判断し、無線リソース制御接続再確立プロセスをトリガーする。
【００６７】
あるいは、上記した２つの場合において、ＲＲＣ層は、ランダムアクセスに問題があったという、前記ＭＡＣ層からの指摘を受信し、タイマーが作動していないときに、ＲＬＦであると判断して、無線リソース制御接続再確立プロセスをトリガーする。前記タイマーは、無線リソース制御接続再確立イベントによってトリガーされたランダムアクセスプロシージャの場合、Ｔ３０１、Ｔ３１１である。前記タイマーは、ハンドオーバーイベントによってトリガーされたランダムアクセスプロシージャの場合、Ｔ３０４である。上記タイマーＴ３０１、Ｔ３１１、Ｔ３０４の定義、始動、停止は、従来技術と全て同じであり、これらについては関連プロトコルにおいて全て規定されているので、本発明ではその詳細については詳しく説明しない。
【００６８】
あるいは、前記タイマーは、ダウンリンクデータの到達に必要なランダムアクセスプロシージャイベントによってトリガーされたランダムアクセスプロシージャの場合、新規に定義されるタイマーＴｘである。また、前記タイマーは、アップリンクデータの到達に必要なランダムアクセスプロシージャイベントによってトリガーされたランダムアクセスプロシージャの場合、新規に定義されるタイマーＴｙであり、ＵＥのロケーションに必要なランダムアクセスプロシージャイベントによってトリガーされたランダムアクセスプロシージャの場合、新規に定義されるタイマーＴｚである。前記タイマーＴｘ、Ｔｙ、Ｔｚは、前記ＵＥが最初に選択されたアップリンクコンポーネントキャリアにおいてランダムアクセスプロシージャを開始するときに始動される。前記タイマーＴｘ、Ｔｙ、Ｔｚは、同一のタイマーであってもよい。前記タイマーがタイムアウトした場合、無線リソース制御接続再確立プロセスをトリガーする。
【００６９】
図３は、本発明の第３の実施形態に係る無線リソース制御接続再確立のトリガー方法のフローチャートである。図３に示すように、本実施形態に係る無線リソース制御の再確立トリガー方法は、以下のステップを含む。
【００７０】
ステップ１０：ＵＥは、ランダムアクセスリソースを選択し、ＵＬＣＣを選択する。
【００７１】
ステップ２０：ＵＥは、選択されたＵＬＣＣにおいてランダムアクセスプロシージャを開始する。
【００７２】
ステップ３０：ランダムアクセスプロシージャの失敗回数が最大回数に達したかどうかを判断し、達していない場合、ステップ２０を実行し、達した場合、ステップ４０を実行する。
【００７３】
ステップ４０：選択されたＵＬＣＣが所定のＵＬＣＣであるかどうかを判断し、所定のＵＬＣＣではない場合、ステップ５０を実行し、所定のＵＬＣＣである場合、ステップ６０を実行する。
【００７４】
ステップ５０：ＵＥは、別のＵＬＣＣにおいてランダムアクセスプロシージャを開始し（ランダムアクセス失敗回数が最大回数に達したＵＬＣＣは、再選択され得ない）、ステップ３０に移行する。
【００７５】
ステップ６０：ＭＡＣ層は、ＲＲＣ層におけるランダムアクセスに問題があったことを指摘する。
【００７６】
ステップ７０：ＲＲＣ層は、ＲＬＦであると判断し、無線リソース制御接続再確立プロセスをトリガーする。あるいは、ＲＲＣ層は、タイマーが作動していないときに、ＲＬＦであると判断し、無線リソース制御接続再確立プロセスをトリガーする。
【００７７】
図４は本発明に係る無線リソース制御接続再確立のトリガー装置の構造を示す図である。図４に示すように、本発明に係る無線リソース制御接続再確立のトリガー装置は、設定ユニット４０と、開始ユニット４１と、判定ユニット４２と、トリガーユニット４３とを含む。
【００７８】
設定ユニット４０は、ランダムアクセスポリシーをＵＥに設定する。
【００７９】
開始ユニット４１は、設定されたランダムアクセスポリシーに従ってランダムアクセスプロシージャを開始する。
【００８０】
判定ユニット４２は、前記開始ユニット４１によって開始されたランダムアクセスプロシージャが成功したかどうかを判定し、ランダムアクセスプロシージャが失敗した場合、トリガーユニットをトリガーする。
【００８１】
トリガーユニット４３は、無線リソース制御接続再確立プロセスをトリガーする。
【００８２】
前記ランダムアクセスポリシーは、設定されたＵＬＣＣにおいてＵＥがランダムアクセスを開始することである。
【００８３】
好ましくは、前記設定されたＵＬＣＣは、ＵＬＰＣＣと１つ以上のＵＬＳＣＣとを含み、
前記判定ユニット４２は、更に、前記開始ユニット４１がまずＵＬＳＣＣにおいてランダムアクセスプロシージャを開始し、前記１つ以上のＵＬＳＣＣにおいて開始されたランダムアクセスプロシージャがすべて失敗したとき、前記ＵＬＰＣＣにおいてランダムアクセスプロシージャを開始し、前記ＵＬＰＣＣにおいて開始されたランダムアクセスプロシージャが失敗したとき、設定されたＵＬＣＣにおいて開始されたランダムアクセスプロシージャが失敗したと判定する。
【００８４】
好ましくは、前記設定されたＵＬＣＣは、ＵＬＰＣＣであり、
前記判定ユニット４２は、更に、前記開始ユニット４１がまず前記ＵＬＰＣＣにおいてランダムアクセスプロシージャを開始し、前記ＵＬＰＣＣにおいて開始されたランダムアクセスプロシージャが失敗したとき、設定されたＵＬＣＣにおいて開始されたランダムアクセスプロシージャが失敗したと判定する。
【００８５】
好ましくは、前記設定されたＵＬＣＣは、所定のＵＬＣＣであり、
前記判定ユニット４２は、更に、前記所定のＵＬＣＣにおいて前記開始ユニットによって開始されたランダムアクセスプロシージャが失敗したとき、設定されたＵＬＣＣにおいて開始されたランダムアクセスプロシージャが失敗したと判定する。
【００８６】
好ましくは、前記所定のＵＬＣＣは、無線チャネル条件が最も良いＵＬＣＣであるか、
又は、パスロスが最も小さいダウンリンクコンポーネントキャリアに関連するＵＬＣＣであるか、
又は、ＵＬＣＣと周波数帯域が同じであり、かつ、パスロスが最も小さいダウンリンクコンポーネントキャリアに関連するＵＬＣＣであるか、
又は、パスロスが最も小さいＵＬＣＣであるか、
又は、電力ヘッドルーム報告が最も大きいＵＬＣＣであるか、
又は、タイムドメインにおいてランダムアクセスチャネル（ＲＡＣＨ）リソースに最も近いＵＬＣＣである。
【００８７】
好ましくは、前記ランダムアクセスポリシーは、ランダムアクセスを開始するＵＬＣＣの最大数をＵＥに設定することであり、
前記判定ユニット４２は、更に、前記開始ユニット４１が選択されたＵＬＣＣにおいてランダムアクセスプロシージャを開始し、選択されたＵＬＣＣの数が設定された最大数に達して、ランダムアクセスプロシージャが失敗したとき、開始されたランダムアクセスプロシージャが失敗したと判定する。
【００８８】
好ましくは、前記ランダムアクセスポリシーは、ランダムアクセスを開始するＵＬＣＣ集合をＵＥに設定することであり、
前記判定ユニット４２は、前記ＵＬＣＣ集合における全てのＵＬＣＣにおいて前記開始ユニット４１によって開始されたランダムアクセスプロシージャが失敗した場合、開始されたランダムアクセスプロシージャが失敗したと判定する。
【００８９】
図４に示す無線リソース制御接続再確立のトリガー装置は、前記無線リソース制御接続再確立のトリガー方法を実現するために設計されたものであり、図４における各処理ユニットの実現機能は、全て前記方法の関連説明を参照することで理解することができると当業者は理解すべきである。図４に示すシステムにおける各処理ユニットの機能は、プロセッサにおいて実行されるプログラムにより実現することができ、また、具体的なロジック回路によっても実現することができる。
【００９０】
以上の説明は、本発明の好適な実施形態に過ぎず、本発明の保護範囲を限定するものではない。
【図１】
0005614822.tif 000002
【図２】
0005614822.tif 000003
【図３】
0005614822.tif 000004
【図４】
0005614822.tif 000005